(57)【要約】【課題】手摺の支持強度を確保しつつ手摺の配置自由度を向上できる収納家具を提供する。【解決手段】手摺が取り付けられる収納家具１であって、収納家具１の上下方向Ｚ及び前後方向Ｙに延びて互いに対向する一対の縦板３と、一対の縦板３に固定された手摺ユニット８と、を備え、手摺ユニット８は、両端部が一対の縦板３に固定される上側棚板１１と、上側棚板１１の下方に配置されて両端部が一対の縦板３に固定される下側棚板１２と、手摺９が取り付けられる手摺パネル１３と、を備え、手摺パネル１３は、上側棚板１１と下側棚板１２との間を塞ぐように収納家具１の上下方向Ｚに延びて、その上端部が上側棚板１１に保持されるとともに、その下端部が下側棚板１２に支持される。【選択図】図３
2018023631.tif 000002
【特許請求の範囲】
【請求項１】
手摺が取り付けられる収納家具であって、
前記収納家具の上下方向及び前後方向に延びて互いに対向する一対の縦板と、
前記一対の縦板に固定された手摺ユニットと、を備え、
前記手摺ユニットは、
両端部が前記一対の縦板に固定される上側棚板と、
前記上側棚板の下方に配置されて両端部が前記一対の縦板に固定される下側棚板と
手摺が取り付けられる手摺パネルと、を備え、
前記手摺パネルは、前記上側棚板と前記下側棚板との間を塞ぐように前記収納家具の上下方向に延びて、その上端部が前記上側棚板に保持されるとともに、その下端部が前記下側棚板に支持される、
収納家具。
【請求項２】
前記手摺パネルは、
前記上側棚板に保持されるとともに下側棚板に支持されるベースパネルと、
前記ベースパネルに固定されて前記手摺が取り付けられる化粧パネルと、を備える、
請求項１に記載の収納家具。
【請求項３】
前記手摺ユニットは、前記収納家具の前後方向における前記手摺パネルの後側が開放されている、
請求項１又は２に記載の収納家具。
【請求項４】
前記手摺パネルの上端部は、前記上側棚板に固定されることで前記上側棚板に保持されており、
前記手摺パネルの下端部は、前記下側棚板に固定されることで前記下側棚板に支持されている、
請求項１〜３の何れか一項に記載の収納家具。
【請求項５】
前記手摺パネルと前記上側棚板とに木ダボが差し込まれているとともに、前記手摺パネルと前記下側棚板とに木ダボが差し込まれていることで、前記手摺パネルが、前記上側棚板及び前記下側棚板に固定されている、
請求項４に記載の収納家具。
【請求項６】
前記手摺パネルの上端部は、前記上側棚板に揺動可能に保持されており、
前記手摺パネルの下端部は、前記下側棚板に前記収納家具の背側から離接可能に支持されている、
請求項１〜３の何れか一項に記載の収納家具。
【発明の詳細な説明】
【技術分野】
【０００１】
本発明は、手摺が取り付けられる収納家具に関する。
【背景技術】
【０００２】
近年、高齢者や障害者等が生活しやすいように、収納家具にも手摺が取り付けられるようになってきた。特許文献１には、手摺が取り付けられた下駄箱、玄関収納箱等の収納家具が記載されている。特許文献１に記載された収納家具は、側板の小口面に、当該小口面に沿った溝が形成された取付け用部材を固定し、当該取付け用部材の溝に手摺を取り付けている。これにより、手摺を、側板の小口面に沿って上下に移動させることが可能となっている。
【先行技術文献】
【特許文献】
【０００３】
【特許文献１】特開２００２−０７８５４３号公報
【特許文献２】特開平１０−０５７１６４号公報
【発明の概要】
【発明が解決しようとする課題】
【０００４】
しかしながら、特許文献１に記載された収納家具では、側板の小口面に沿った位置にしか手摺を取り付けることができない。このため、手摺の配置自由度が制限されるという問題がある。
【０００５】
一方、特許文献２には、Ｌ字状の支持金具により棚板に板状の補助板を固定し、当該補助板に手摺を取り付ける玄関収納体が記載されている。しかしながら、特許文献２に記載された玄関収納体は、手摺が取り付けられる補助板が、棚板に対して片持ちで保持されている。このため、手摺の支持強度が十分でないという問題がある。なお、特許文献２に記載された玄関収納体では、上下の棚板の対向方向に向けて補助板が延びているため、上下の棚板間のスペースの使い勝手が悪く、また、Ｌ字状の支持金具が露出しているため、意匠性が悪いという問題もある。
【０００６】
そこで、本発明は、手摺の支持強度を確保しつつ手摺の配置自由度を向上できる収納家具を提供することを目的とする。
【課題を解決するための手段】
【０００７】
本発明に係る収納家具は、手摺が取り付けられる収納家具であって、収納家具の上下方向及び前後方向に延びて互いに対向する一対の縦板と、一対の縦板に固定された手摺ユニットと、を備え、手摺ユニットは、両端部が一対の縦板に固定される上側棚板と、上側棚板の下方に配置されて両端部が一対の縦板に固定される下側棚板と手摺が取り付けられる手摺パネルと、を備え、手摺パネルは、上側棚板と下側棚板との間を塞ぐように収納家具の上下方向に延びて、その上端部が上側棚板に保持されるとともに、その下端部が下側棚板に支持される。
【０００８】
本発明に係る収納家具では、上側棚板及び下側棚板が一対の縦板に固定されており、手摺が取り付けられる手摺パネルが上側棚板と下側棚板との間を塞ぐように収納家具の上下方向に延びている。これにより、上側棚板と下側棚板との間の任意の位置に手摺を取り付けることができるため、手摺の配置自由度が高くなる。しかも、手摺パネルは、その上端部が一対の縦板に固定された上側棚板に保持されるとともに、その下端部が一対の縦板に固定された下側棚板に支持されるため、手摺の支持強度を確保することができる。なお、上側棚板と下側棚板との間のスペースは、電源コード等を隠すためのスペースとして利用することができ、上側棚板は、上方の収納スペースの棚板として利用することができる。
【０００９】
上記の収納家具において、手摺パネルは、上側棚板に保持されるとともに下側棚板に支持されるベースパネルと、ベースパネルに固定されて手摺が取り付けられる化粧パネルと、を備えてもよい。この収納家具では、手摺パネルが、上側棚板及び下側棚板に取り付けるベースパネルと、手摺が取り付けられる化粧パネルと、に分かれているため、上側棚板及び下側棚板に対して手摺パネルを取り付ける際の作業性容易性を確保しつつ、収納家具の外観等に応じて手摺パネルの意匠を自由に設計することができる。
【００１０】
また、上記の収納家具において、手摺ユニットは、収納家具の前後方向における手摺パネルの後側が開放されていてもよい。上側棚板及び下側棚板を一対の縦板に固定する手段として、一対の縦板に取り付けられた部材に、上側棚板及び下側棚板を載置固定することが考えられる。このような場合、手摺ユニットの後側が封鎖されていると、手摺ユニットを分解しなければ収納家具に対して手摺ユニットを着脱することができない。この収納家具では、手摺ユニットの後側が開放されているため、上記のように上側棚板及び下側棚板を一対の縦板に固定する場合であっても、手摺ユニットを分解せずに、収納家具に対して手摺ユニットを着脱することができる。
【００１１】
また、上記の収納家具において、手摺パネルの上端部は、上側棚板に固定されることで上側棚板に保持されており、手摺パネルの下端部は、下側棚板に固定されることで下側棚板に支持されていてもよい。この収納家具では、手摺パネルが上側棚板及び下側棚板に固定されているため、手摺の支持強度を更に向上することができる。
【００１２】
また、上記の収納家具において、手摺パネルと上側棚板とに木ダボが差し込まれているとともに、手摺パネルと下側棚板とに木ダボが差し込まれていることで、手摺パネルが、上側棚板及び下側棚板に固定されていてもよい。この収納家具では、木ダボの差し込みにより手摺パネルが上側棚板及び下側棚板に固定されているため、上側棚板及び下側棚板に対する手摺パネルの固定を、簡易かつ低コストに行うことができる。
【００１３】
また、上記の収納家具において、手摺パネルの上端部は、上側棚板に揺動可能に保持されており、手摺パネルの下端部は、下側棚板に収納家具の背側から離接可能に支持されていてもよい。この収納家具では、手摺パネルが上側棚板に対して前方側に揺動可能となるため、上側棚板と下側棚板との間の空間を通常の収納スペースとしても利用することができる。
【発明の効果】
【００１４】
本発明によれば、手摺の支持強度を確保しつつ手摺の配置自由度を向上することができる。
【図面の簡単な説明】
【００１５】
【図１】第一施形態に係る収納家具の斜視図である。
【図２】第一施形態に係る収納家具の正面図である。
【図３】図２に示すＩＩＩ−ＩＩＩ線における断面図である。
【図４】図２に示すＩＶ−ＩＶ線における断面図である。
【図５】手摺ユニットの拡大断面図である。
【図６】手摺ユニットの組み立て方法の一例を説明するための図である。
【図７】手摺ユニットの組み立て方法の一例を説明するための図である。
【図８】第二施形態に係る収納家具の斜視図である。
【図９】手摺ユニットの拡大断面図である。
【図１０】手摺ユニットの組み立て方法を説明するための図である。
【図１１】第三施形態に係る収納家具の手摺ユニットの拡大断面図である。
【発明を実施するための形態】
【００１６】
以下、図面を参照して、実施形態の収納家具について詳細に説明する。なお、全図中、同一または相当部分には同一符号を付し、重複する説明を省略する。
【００１７】
［第一実施形態］
図１は、第一施形態に係る収納家具の斜視図である。図２は、第一施形態に係る収納家具の正面図である。図３は、図２に示すＩＩＩ−ＩＩＩ線における断面図である。図４は、図２に示すＩＶ−ＩＶ線における断面図である。図１〜図４に示すように、本実施形態の収納家具１は、建物に一体的に取り付けられて履物や食器等の荷物を収納する家具である。収納家具１としては、例えば、履物を収納する玄関収納家具、食器を収納するキッチン収納家具、本を収納する本棚等とすることができる。なお、以下の説明において、左右、上下等の方向は、収納家具１の方向を示す。
【００１８】
収納家具１は、背板２と、左右一対の側板３Ａ，３Ｂと、１又は複数の仕切縦板３Ｃと、天板４と、１又は複数の地板５と、１又は複数の棚板６と、扉７と、１又は複数の手摺ユニット８と、を備える。
【００１９】
背板２は、収納家具１の後側に配置される背板である。背板２は、収納家具１の幅方向Ｘ（図２における左右方向：幅方向Ｘは左右方向ともいう）及び上下方向Ｚ（図２における上下方向：上下方向Ｚは高さ方向ともいう）に延びる矩形の板状部材により構成されている。背板２は、収納家具１の設置面に立設されている。そして、背板２は、天板４まで延びており、天板４の後端部を下方から支持している。但し、背板２は、収納家具１の設置面に立設されていなくてもよく、また、天板４の後端部を下方から支持していなくてもよい。
【００２０】
側板３Ａ，３Ｂは、収納家具１の側板をなす縦板である。側板３Ａ，３Ｂは、収納家具１の前後方向Ｙ（図３における左右方向、図４における上下方向：前後方向Ｙは奥行き方向ともいう）及び上下方向Ｚに延びる矩形の板状部材により構成されている。このため、側板３Ａ，３Ｂは、縦板ともいう。側板３Ａは、収納家具１の右側（図２における右側）に配置される側板であり、側板３Ｂは、収納家具１の左側（図２における左側）に配置される側板である。側板３Ａと側板３Ｂとは、互いに対向している。側板３Ａ，３Ｂは、収納家具１の設置面に立設されている。そして、側板３Ａ，３Ｂは、天板４まで延びており、天板４の両側端部を下方から支持している。但し、側板３Ａ，３Ｂは、収納家具１の設置面に立設されていなくてもよく、また、天板４の両端部を下方から支持していなくてもよい。
【００２１】
仕切縦板３Ｃは、収納家具１の収納空間を左右に仕切る縦板である。仕切縦板３Ｃは、収納家具１の前後方向Ｙ及び上下方向Ｚに延びる矩形の板状部材により構成されている。仕切縦板３Ｃは、側板３Ａと側板３Ｂとの間に配置されて、側板３Ａと側板３Ｂとの間の空間を左右に仕切る。このため、側板３Ａと仕切縦板３Ｃ、隣り合う一対の仕切縦板３Ｃ、仕切縦板３Ｃと側板３Ｂとは、それぞれ互いに対向している。なお、図面に示した本実施形態の収納家具１は、３枚の仕切縦板３Ｃを備える。仕切縦板３Ｃは、収納家具１の設置面に立設されている。そして、仕切縦板３Ｃは、天板４まで延びており、天板４の中央部を下方から支持している。但し、仕切縦板３Ｃは、収納家具１の設置面に立設されていなくてもよく、また、天板４の中央部を下方から支持していなくてもよい。
【００２２】
なお、側板３Ａ、側板３Ｂ及び仕切縦板３Ｃは、収納家具１の上下方向Ｚ及び前後方向Ｙに延びて互いに対向する縦板として共通するため、以下では、特に明示する場合を除き、縦板３と称して説明する。
【００２３】
天板４は、収納家具１の上側に配置される天板である。天板４は、収納家具１の幅方向Ｘ及び前後方向Ｙに延びる矩形の板状部材により構成されている。天板４は、縦板３に対して固定されている。なお、天板４は、縦板３に対して固定されていなくてもよく、縦板３のうち側板３Ａ，３Ｂにのみ固定されていてもよい。
【００２４】
地板５は、収納家具１の下側に配置される地板である。地板５は、収納家具１の幅方向Ｘ及び前後方向Ｙに延びる矩形の板状部材により構成されている。地板５は、収納家具１の収納空間の最下段に配置される棚板である。地板５は、隣り合う一対の縦板３の間に配置されており、その左右端部は、地板５を挟む一対の縦板３に固定されている。なお、図面に示した本実施形態の収納家具１は、左右に４枚の地板５を備える。地板５の下側は、収納家具１の基台となる蹴込が構成されている。なお、地板５の前側の小口面は、縦板３の前側の小口面と面一となっている。
【００２５】
棚板６は、収納家具１の収納空間に配置される棚板である。棚板６は、収納家具１の幅方向Ｘ及び前後方向Ｙに延びる矩形の板状部材により構成されている。棚板６は、天板４の下方且つ地板５の上方に配置されて、収納家具１の収納空間を上下に仕切る。棚板６は、隣り合う一対の縦板３の間に配置されており、その左右端部は、棚板６を挟む一対の縦板３に固定されている。なお、図面に示した本実施形態の収納家具１は、左右に４枚の棚板６を備える。縦板３に対する棚板６の固定は、例えば、棚板６の両側面に埋設されたボルト用アンカ（不図示）に、縦板３に固定されたボルト（不図示）を連結することにより行うことができる。このボルト用アンカ及びボルトで構成される連結部材として、例えば、ハーフェレ社のノックダウン金具（商品名：ラフィックス２０）を用いることで、縦板３に対して棚板６を容易に載置固定することができる。なお、棚板６の前側の小口面は、縦板３の前側の小口面と面一となっている。
【００２６】
扉７は、各収納空間を開閉する扉である。後述するように、手摺ユニット８は、棚板６に対応する上側棚板１１及び下側棚板１２を備えており、扉７は、縦板３、天板４、地板５、棚板６、上側棚板１１及び下側棚板１２により区画される収納家具１の各収納空間を開閉する。扉７は、収納家具１の収納空間を閉じた際に収納家具１の上下方向Ｚ及び幅方向Ｘに延びる矩形の板状部材により構成されている。そして、扉７は、縦板３、地板５、棚板６、上側棚板１１及び下側棚板１２の前側に配置されるとともに、当該扉７が開閉する収納空間の左側に配置される縦板３に揺動可能に取り付けられている。このため、扉７の前面は、縦板３、地板５、棚板６、上側棚板１１及び下側棚板１２よりも前側に配置されている。なお、図面に示した本実施形態の収納家具１は、上から４段目の収納スペースまでのみ扉７が設けられており、下から２段目の収納スペースまでは扉７が設けられていない。
【００２７】
図５は、手摺ユニットの拡大断面図である。図１〜図５に示すように、手摺ユニット８は、一対の縦板３に固定されるとともに、手摺９が取り付けられる部材である。収納家具１では、隣り合う一対の縦板３に対して、１個の手摺ユニット８が設けられている。なお、図面に示した本実施形態の収納家具１は、左右に４個の手摺ユニット８を備え、それぞれ、上から５段目かつ下から３段目の収納スペースとなるべき位置に設けられている。手摺ユニット８は、上側棚板１１と、下側棚板１２と、手摺パネル１３と、を備える。
【００２８】
上側棚板１１は、棚板６に対応する部材である。上側棚板１１は、収納家具１の幅方向Ｘ及び前後方向Ｙに延びる矩形の板状部材により構成されている。上側棚板１１は、天板４と地板５との間の任意の位置に配置されて、収納家具１の収納空間を上下に仕切る。上側棚板１１は、隣り合う一対の縦板３の間に配置されており、その左右端部は、上側棚板１１を挟む一対の縦板３に固定されている。縦板３に対する上側棚板１１の固定は、例えば、上側棚板１１の両側面に埋設されたボルト用アンカ（不図示）に、縦板３に固定されたボルト（不図示）を連結することにより行うことができる。この連結部材として、例えば、ハーフェレ社のノックダウン金具（商品名：ラフィックス２０）を用いることで、縦板３に対して上側棚板１１を容易に載置固定することができる。なお、上側棚板１１の前側の小口面は、縦板３の前側の小口面と面一となっている。
【００２９】
下側棚板１２は、棚板６に対応する部材である。下側棚板１２は、収納家具１の幅方向Ｘ及び前後方向Ｙに延びる矩形の板状部材により構成されている。下側棚板１２は、上側棚板１１の下方に配置されている。そして、下側棚板１２は、上側棚板１１と地板５との間の任意の位置に配置されて、収納家具１の収納空間を上下に仕切る。下側棚板１２は、隣り合う一対の縦板３の間に配置されており、その左右端部は、下側棚板１２を挟む一対の縦板３に固定されている。縦板３に対する下側棚板１２の固定は、例えば、下側棚板１２の両側面に埋設されたボルト用アンカ（不図示）に、縦板３に固定されたボルト（不図示）を連結することにより行うことができる。この連結部材として、例えば、ハーフェレ社のノックダウン金具（商品名：ラフィックス２０）を用いることで、縦板３に対して下側棚板１２を容易に載置固定することができる。なお、下側棚板１２の前側の小口面は、縦板３の前側の小口面と面一となっている。
【００３０】
手摺パネル１３は、手摺ユニット８の前端部に配置されて、その前面に手摺９が取り付けられる部材である。手摺パネル１３は、上側棚板１１と下側棚板１２との間を塞ぐように、収納家具１の上下方向Ｚに延びている。また、手摺パネル１３は、隣り合う一対の縦板３の間を塞ぐように、収納家具１の幅方向Ｘに延びている。そして、手摺パネル１３は、収納家具１の前側において、その上端部が上側棚板１１に保持されるとともに、その下端部が下側棚板１２に支持される。第一実施形態では、手摺パネル１３の上端部は、上側棚板１１に固定されることで上側棚板１１に保持されており、手摺パネル１３の下端部は、下側棚板１２に固定されることで下側棚板１２に支持されている。
【００３１】
具体的に説明すると、手摺パネル１３は、ベースパネル１４と、ベースパネル１４に固定される化粧パネル１５と、を備える。
【００３２】
ベースパネル１４は、上側棚板１１及び下側棚板１２に固定される部材である。ベースパネル１４は、収納家具１の上下方向Ｚ及び幅方向Ｘに延びる矩形の板状部材により構成されている。ベースパネル１４の上端部は、上側棚板１１の前端部に固定されている。ベースパネル１４の下端部は、下側棚板１２の前端部に固定されている。
【００３３】
上側棚板１１及び下側棚板１２に対するベースパネル１４の固定は、例えば、次のように行うことができる。図６は、手摺ユニットの組み立て方法の一例を説明するための図である。図５及び図６に示すように、上側棚板１１の下面にダボ穴１１ａを形成し、ベースパネル１４に差し込まれた木ダボ１４ａを当該上端面から突出させる。そして、ダボ穴１１ａに木ダボ１４ａを差し込むことで、上側棚板１１に対してベースパネル１４を固定する。同様に、下側棚板１２の上面にダボ穴１２ａを形成し、ベースパネル１４の下端面に差し込まれた木ダボ１４ｂを当該下端面から突出させる。そして、ダボ穴１２ａに木ダボ１４ｂを差し込むことで、下側棚板１２に対してベースパネル１４を固定する。その際、ボンド等の接着剤を併用することで、上側棚板１１及び下側棚板１２に対するベースパネル１４の固定を強固なものとすることができる。なお、上側棚板１１及び下側棚板１２とベースパネル１４との固定強度を高める観点から、ダボ穴１１ａと木ダボ１４ａの組、及びダボ穴１２ａと木ダボ１４ｂの組は、幅方向Ｘにおいて複数組設けることが好ましい。また、ダボ穴１１ａ及びダボ穴１２ａと木ダボ１４ａ及び木ダボ１４ｂとの位置関係は、逆であってもよい。
【００３４】
化粧パネル１５は、ベースパネル１４の前面側に固定されて手摺９が取り付けられる部材である。化粧パネル１５は、収納家具１の上下方向Ｚ及び幅方向Ｘに延びる矩形の板状部材により構成されている。そして、複数の手摺ユニット８のうち、少なくとも２つの手摺ユニット８の化粧パネル１５に、手摺９が取り付けられている。化粧パネル１５に対する手摺９の取り付けは、例えば、手摺９の基端部にフランジ部を形成し、当該フランジ部を化粧パネル１５にネジ止めすることにより行うことができる。化粧パネル１５は、扉７と略同じ厚みに形成されており、化粧パネル１５の前面は、扉７の前面と面一となっている。なお、化粧パネル１５の前面には、例えば、扉７と同じ化粧シートが貼り付けることで、手摺ユニット８の意匠性、更には、収納家具１全体の意匠性を高めることができる。
【００３５】
ベースパネル１４に対する化粧パネル１５の固定は、例えば、次のように行うことができる。図７は、手摺ユニットの組み立て方法の一例を説明するための図である。図５及び図７に示すように、化粧パネル１５のベースパネル１４との固定面である後面に、ダボ穴１５ａを形成し、ベースパネル１４の化粧パネル１５との固定面である前面に差し込まれた木ダボ１４ｃを当該前面から突出させる。そして、ダボ穴１５ａに木ダボ１４ｃを差し込むことで、ベースパネル１４に対して化粧パネル１５を固定する。その際、ボンド等の接着剤を併用することで、ベースパネル１４に対する化粧パネル１５の固定を強固なものとすることができる。なお、ベースパネル１４と化粧パネル１５との固定強度を高める観点から、ダボ穴１５ａと木ダボ１４ｃの組は、幅方向Ｘ及び上下方向Ｚにおいて複数組設けることが好ましい。また、ダボ穴１５ａと木ダボ１４ｃとの位置関係は、逆であってもよい。
【００３６】
このように構成される手摺ユニット８は、収納家具１の前後方向Ｙにおける手摺パネル１３の後側には他部材が配置されておらず、手摺パネル１３の後側が開放された状態となっている。つまり、側面視において、手摺ユニット８は、後方が開放されたコの字状となっている。そして、上側棚板１１及び下側棚板１２は、背板２に固定されておらず、縦板３のみに固定されている。
【００３７】
次に、収納家具１の組み立て方法について説明する。
【００３８】
まず、背板２、縦板３（側板３Ａ，３Ｂ及び仕切縦板３Ｃ）、天板４、地板５及び棚板６を組み立てる。
【００３９】
次に、図５及び図６に示すように、上側棚板１１及び下側棚板１２に対してベースパネル１４を固定する。例えば、上述したように、ベースパネル１４（手摺パネル１３）に差し込まれた木ダボ１４ａを上側棚板１１のダボ穴１１ａに差し込むとともに、ベースパネル１４（手摺パネル１３）に差し込まれた木ダボ１４ｂを下側棚板１２のダボ穴１２ａに差し込む。この際、ボンドなどの接着剤を併用することが好ましい。これにより、ベースパネル１４（手摺パネル１３）と上側棚板１１とに木ダボ１４ａが差し込まれるとともに、ベースパネル１４（手摺パネル１３）と下側棚板１２とに木ダボ１４ｂが差し込まれることで、ベースパネル１４（手摺パネル１３）が、上側棚板１１及び下側棚板１２に固定された状態となる。つまり、上側棚板１１、下側棚板１２及び手摺パネル１３が一体的に構成されており、側面視において、手摺ユニット８は、後方が開放されたコの字状となっている。
【００４０】
次に、一体的に構成された上側棚板１１、下側棚板１２及び手摺パネル１３を、隣り合う縦板３の間に挿入し、縦板３の前側の小口面と棚板６の前側の小口面とが面一となる位置で、上側棚板１１及び下側棚板１２を縦板３に固定する。縦板３に対する上側棚板１１及び下側棚板１２の固定は、例えば、上述したように、ハーフェレ社のノックダウン金具（商品名：ラフィックス２０）を用いることで、容易に行うことができる。
【００４１】
次に、図５及び図７に示すように、ベースパネル１４に対して化粧パネル１５を固定する。例えば、上述したように、ベースパネル１４に差し込まれた木ダボ１４ｃを化粧パネル１５のダボ穴１５ａに差し込む。この際、ボンドなどの接着剤を併用することが好ましい。これにより、化粧パネル１５が、ベースパネル１４に固定された状態となる。
【００４２】
そして、扉７を縦板３に取り付けるとともに、化粧パネル１５に手摺９を取り付ける。これにより、収納家具１の組み立てが終了する。
【００４３】
このように、本実施形態に係る収納家具１では、上側棚板１１及び下側棚板１２が一対の縦板３に固定されており、手摺９が取り付けられる手摺パネル１３が上側棚板１１と下側棚板１２との間を塞ぐように収納家具１の上下方向Ｚに延びている。これにより、上側棚板１１と下側棚板１２との間の任意の位置に手摺９を取り付けることができるため、手摺９の配置自由度が高くなる。しかも、手摺パネル１３は、その上端部が一対の縦板３に固定された上側棚板１１に保持されるとともに、その下端部が一対の縦板３に固定された下側棚板１２に支持されるため、手摺９の支持強度を確保することができる。なお、上側棚板１１と下側棚板１２との間のスペースは、電源コード等を隠すためのスペースとして利用することができ、上側棚板１１は、上方の収納スペースの棚板として利用することができる。
【００４４】
また、手摺パネル１３が、上側棚板１１及び下側棚板１２に取り付けるベースパネル１４と、手摺９が取り付けられる化粧パネル１５と、に分かれているため、上側棚板１１及び下側棚板１２に対して手摺パネル１３を取り付ける際の作業性容易性を確保しつつ、収納家具１の外観等に応じて手摺パネル１３の意匠を自由に設計することができる。
【００４５】
ところで、上側棚板１１及び下側棚板１２を一対の縦板３に固定する手段として、一対の縦板３に取り付けられた部材に、上側棚板１１及び下側棚板１２を載置固定することが考えられる。このような場合、手摺ユニット８の後側が封鎖されていると、手摺ユニット８を分解しなければ収納家具１に対して手摺ユニット８を着脱することができない。この収納家具１では、手摺ユニット８の後側が開放されているため、上記のように上側棚板１１及び下側棚板１２を一対の縦板３に固定する場合であっても、手摺ユニット８を分解せずに、収納家具１に対して手摺ユニット８を着脱することができる。
【００４６】
また、手摺パネル１３が上側棚板１１及び下側棚板１２に固定されているため、手摺９の支持強度を更に向上することができる。
【００４７】
また、木ダボの差し込みにより手摺パネル１３が上側棚板１１及び下側棚板１２に固定されているため、上側棚板１１及び下側棚板１２に対する手摺パネル１３の固定を、簡易かつ低コストに行うことができる。
【００４８】
［第二実施形態］
次に、第二実施形態に係る収納家具について説明する。第二実施形態の収納家具は、基本的に第一実施形態の収納家具と同様であり、扉の配置及び手摺パネルの構造のみ第一実施形態の収納家具と相違する。このため、以下では、第一実施形態の収納家具と相違する事項のみを説明し、第一実施形態の収納家具と同様の事項の説明を省略する。
【００４９】
図８は、第二施形態に係る収納家具の斜視図である。図８に示すように、本実施形態の収納家具１Ａは、背板２と、左右一対の側板３Ａ，３Ｂと、１又は複数の仕切縦板３Ｃと、天板４と、１又は複数の地板５と、１又は複数の棚板６と、扉７と、１又は複数の手摺ユニット８Ａと、を備える。
【００５０】
扉７は、第一実施形態の収納家具１のものと同じであるが、収納家具１Ａでは、上から１段目の収納スペースにのみ扉７が設けられており、下から５段目の収納スペースまでは扉７が設けられていない。
【００５１】
図９は、手摺ユニットの拡大断面図である。図８及び図９に示すように、手摺ユニット８Ａは、上から５段目かつ下から３段目の収納スペースとなるべき位置に設けられている。このため、手摺ユニット８Ａに隣り合う上段および下段には、扉７が設けられていない。手摺ユニット８Ａは、上側棚板１１と、下側棚板１２と、手摺パネル１３Ａと、を備える。
【００５２】
手摺パネル１３Ａは、基本的に第一実施形態の手摺パネル１３と同様であるが、第一実施形態の化粧パネル１５を備えない点で第一実施形態の手摺パネル１３と相違する。手摺パネル１３Ａは、収納家具１Ａの上下方向Ｚ及び幅方向Ｘに延びる矩形の板状部材により構成されている。手摺パネル１３Ａの上端部は、上側棚板１１の前端部に固定されている。手摺パネル１３Ａの下端部は、下側棚板１２の前端部に固定されている。
【００５３】
上側棚板１１及び下側棚板１２に対する手摺パネル１３Ａの固定は、例えば、次のように行うことができる。図１０は、手摺ユニットの組み立て方法の一例を説明するための図である。図９及び図１０に示すように、上側棚板１１の下面にダボ穴１１ａを形成し、手摺パネル１３Ａに差し込まれた木ダボ１３ａを当該上端面から突出させる。そして、ダボ穴１１ａに木ダボ１３ａを差し込むことで、上側棚板１１に対して手摺パネル１３Ａを固定する。同様に、下側棚板１２の上面にダボ穴１２ａを形成し、手摺パネル１３Ａの下端面に差し込まれた木ダボ１３ｂを当該下端面から突出させる。そして、ダボ穴１２ａに木ダボ１３ｂを差し込むことで、下側棚板１２に対して手摺パネル１３Ａを固定する。その際、ボンド等の接着剤を併用することで、上側棚板１１及び下側棚板１２に対する手摺パネル１３Ａの固定を強固なものとすることができる。なお、上側棚板１１及び下側棚板１２と手摺パネル１３Ａとの固定強度を高める観点から、ダボ穴１１ａと木ダボ１３ａの組、及びダボ穴１２ａと木ダボ１３ｂの組は、幅方向Ｘにおいて複数組設けることが好ましい。また、ダボ穴１１ａ及びダボ穴１２ａと木ダボ１３ａ及び木ダボ１３ｂとの位置関係は、逆であってもよい。
【００５４】
そして、複数の手摺ユニット８Ａのうち、少なくとも２つの手摺ユニット８Ａの手摺パネル１３Ａの前面に、手摺９が取り付けられている。手摺パネル１３Ａに対する手摺９の取り付けは、例えば、手摺９の基端部にフランジ部を形成し、当該フランジ部を手摺パネル１３Ａにネジ止めすることにより行うことができる。手摺パネル１３Ａの前面は、縦板３の前側の小口面と面一となっている。なお、手摺パネル１３Ａの前面には、例えば、縦板３の前側の小口面又は扉７と同じ化粧シートが貼り付けることで、手摺ユニット８Ａの意匠性、更には、収納家具１Ａ全体の意匠性を高めることができる。
【００５５】
このように、本実施形態に係る収納家具１Ａは、扉の配置及び手摺パネル１３Ａの構造以外は、第一実施形態に係る収納家具１と同様であるため、本実施形態に係る収納家具１Ａでも、第一実施形態に係る収納家具１と同様の効果が奏される。
【００５６】
［第三実施形態］
次に、第三実施形態に係る収納家具について説明する。第三実施形態の収納家具は、基本的に第二実施形態の収納家具と同様であり、手摺パネルの取り付け構造のみ第二実施形態の収納家具と相違する。このため、以下では、第二実施形態の収納家具と相違する事項のみを説明し、第二実施形態の収納家具と同様の事項の説明を省略する。
【００５７】
図１１は、第三施形態に係る収納家具の手摺ユニットの拡大断面図である。図１１に示すように、第三施形態に係る収納家具１Ｂの手摺ユニット８Ｂは、上側棚板１１と、下側棚板１２と、手摺パネル１３Ｂと、を備える。
【００５８】
手摺パネル１３Ｂは、第二実施形態の手摺パネル１３Ａと同じ構造である。手摺パネル１３Ｂの上端部は、上側棚板１１に揺動可能に保持されている。具体的に説明すると、手摺パネル１３Ｂは、ヒンジ１６Ｂを介して上側棚板１１と連結されている。ヒンジ１６Ｂは、互いに揺動可能に連結された一対の羽根が設けられている。そして、ヒンジ１６Ｂの揺動軸線が幅方向Ｘに延びるように、ヒンジ１６Ｂの一方の羽根が上側棚板１１の前端部に固定されるとともに、ヒンジ１６Ｂの他方の羽根が手摺パネル１３Ｂに固定されている。
【００５９】
手摺パネル１３Ｂの下端部は、下側棚板１２に収納家具１Ｂの背側から離接可能に支持されている。具体的に説明すると、下側棚板１２は、前端部において上方に突出する支持部１７Ｂを備えている。支持部１７Ｂは、手摺パネル１３Ｂが収納家具１Ｂの上下方向に向いた際に、手摺パネル１３Ｂの後面に当接される位置に配置される。これにより、手摺パネル１３Ｂは、支持部１７Ｂ（下側棚板１２）に収納家具１Ｂの背側から離接可能に支持されるため、収納家具１Ｂの前側には揺動可能であるが、支持部１７Ｂを超えた収納家具１Ｂの背側への揺動が規制される。
【００６０】
このように、本実施形態に係る収納家具１Ｂでは、手摺パネル１３Ｂが上側棚板１１に対して前方側に揺動可能となるため、上側棚板１１と下側棚板１２との間の空間を通常の収納スペースとしても利用することができる。
【００６１】
以上、本発明の好適な実施形態について説明したが、本発明は上記実施形態に限定されるものではない。
【００６２】
例えば、上記実施形態では、手摺ユニット、棚板、地板は、仕切縦板３Ｃにより左右に分割されているものとして説明したが、手摺ユニット、棚板、地板は、仕切縦板３Ｃを貫通して、側板３Ａから側板３Ｂまで延びるものとしてもよい。
【００６３】
また、上記実施形態では、縦板が５枚設けられ、棚板、地板、手摺ユニットが左右に４個設けられるものとして説明したが、縦板の数、及び棚板、地板、手摺ユニットの数は特に限定されるものではない。
【００６４】
また、上記実施形態では、手摺ユニットが上下に１段のみ設けられるものとして説明したが、手摺ユニットは上下の複数段に設けられてもよい。
【００６５】
また、上記実施形態では、手摺が一部の手摺ユニットにのみ取り付けられるものとして説明したが、手摺が取り付けられる手摺ユニットの数は特に限定されるものではなく、全ての手摺ユニットに手摺が取り付けられていてもよい。
【符号の説明】
【００６６】
１，１Ａ，１Ｂ…収納家具、２…背板、３…縦板、３Ａ，３Ｂ…側板、３Ｃ…仕切縦板、４…天板、５…地板、６…棚板、７…扉、８，８Ａ，８Ｂ…手摺ユニット、９…手摺、１１…上側棚板、１１ａ…ダボ穴、１２…下側棚板、１２ａ…ダボ穴、１３，１３Ａ，１３Ｂ…手摺パネル、１３ａ…木ダボ、１３ｂ…木ダボ、１４…ベースパネル、１４ａ…木ダボ、１４ｂ…木ダボ、１４ｃ…木ダボ、１５…化粧パネル、１５ａ…ダボ穴、１６Ｂ…ヒンジ、１７Ｂ…支持部。
【図１】
2018023631.tif 000003
【図２】
2018023631.tif 000004
【図３】
2018023631.tif 000005
【図４】
2018023631.tif 000006
【図５】
2018023631.tif 000007
【図６】
2018023631.tif 000008
【図７】
2018023631.tif 000009
【図８】
2018023631.tif 000010
【図９】
2018023631.tif 000011
【図１０】
2018023631.tif 000012
【図１１】
2018023631.tif 000013